(57)【要約】【課題】設定した時刻になっても直ちに映像を見ることが困難であった。【解決手段】外部からの指示に基づいて、少なくとも視聴開始の時刻の設定を行う設定手段と、上記設定の時刻よりも所定時間前の時刻に電源を立ち上げて放送信号の受信と映像信号および音声信号の抽出とを開始するとともに、ディスプレイ上に所定のミュート画像を表示し音声出力を消音状態とし、かつ、上記設定の時刻に上記ミュート画像の表示および消音状態を解除することにより映像信号に基づく映像出力および音声信号に基づく音声出力を開始する映像音声制御手段とを備えるテレビジョンとした。【選択図】図２
2008294937.tif 000002
【特許請求の範囲】
【請求項１】
放送信号を受信し、この放送信号から所定のチャンネルにかかる映像信号および音声信号を抽出し、映像信号に基づく映像出力をディスプレイ上に行うとともに音声信号に基づく音声出力を行うテレビジョンにおいて、
外部からの指示に基づいて、少なくとも視聴開始の時刻の設定を行う設定手段と、
上記設定の時刻よりも所定時間前の時刻に電源を立ち上げて放送信号の受信と映像信号および音声信号の抽出とを開始するとともに、ディスプレイ上に所定のミュート画像を表示し音声出力を消音状態とし、かつ、上記設定の時刻に上記ミュート画像の表示および消音状態を解除することにより映像信号に基づく映像出力および音声信号に基づく音声出力を開始する映像音声制御手段とを備えることを特徴とするテレビジョン。
【請求項２】
上記映像音声制御手段は、上記設定の時刻よりも前の時刻であって上記電源を立ち上げる時刻よりも前の時刻に電源がオフ状態であるか否か判断し、オフ状態でなければ電源をオフ状態にすることを特徴とする請求項１に記載のテレビジョン。
【請求項３】
上記映像音声制御手段は、上記判断の結果電源がオフ状態でなければ、上記ディスプレイに電源をオフ状態に切り替える旨の警告表示を行った上で電源をオフ状態にすることを特徴とする請求項２に記載のテレビジョン。
【請求項４】
上記映像音声制御手段は、放送信号内に含まれている時刻情報を放送信号から抽出し、この抽出した時刻情報に応じてテレビジョンが内蔵するタイマの時刻を補正し、当該補正後のタイマによって時刻を判断することを特徴とする請求項１〜請求項３のいずれかに記載のテレビジョン。
【請求項５】
デジタルテレビジョン放送信号を受信し、このデジタルテレビジョン放送信号からトランスポートストリームを抽出するチューナ部と、トランスポートストリームから視聴対象として設定されたチャンネルにかかる映像信号および音声信号を抽出する信号処理部と、映像信号に基づく映像出力を行う液晶パネル部と、音声信号に基づく音声出力を設定された音量レベルにて行うスピーカ部と、各部に対して電源を供給する電源回路部と、各部を制御するマイクロコンピュータとを備える液晶テレビジョンにおいて、
上記マイクロコンピュータは、
外部からの指示に基づいて、少なくとも視聴開始の時刻と、視聴対象のチャンネルと、視聴時の音量レベルとについて設定を行い、当該設定内容を所定の記憶領域に保存し、
上記デジタルテレビジョン放送信号に含まれている時刻情報をデジタルテレビジョン放送信号から抽出し、この抽出した時刻情報に応じて内蔵するタイマの時刻を補正し、
上記補正後のタイマに基づいて上記設定の時刻よりも所定時間前の時刻になったと判断した場合には、電源がオフ状態であるか否か判断し、電源がオフ状態でなければ、上記液晶パネル部に電源をオフ状態に切り替える旨の警告表示を行わせた上で電源をオフ状態にし、
上記補正後のタイマに基づいて、上記電源がオフであるか否かの判断を行った時刻よりも後の時刻であって上記設定の時刻よりも所定時間前の時刻になったと判断した場合には、電源を立ち上げてチューナ部および信号処理部に処理を開始させるとともに、液晶パネル部の全面に黒画像を表示させ、スピーカ部からの音声出力を消音状態とし、
上記補正後のタイマに基づいて上記設定の時刻になったと判断した場合には、上記黒画像の表示および消音状態を解除することにより、映像信号に基づく映像出力および音声信号に基づく音声出力を開始させることを特徴とする液晶テレビジョン。
【発明の詳細な説明】
【技術分野】
【０００１】
本発明は、テレビジョンおよび液晶テレビジョンに関する。
【背景技術】
【０００２】
従来から、いわゆるオンタイマ機能を備えるテレビジョンが知られている（特許文献１，２参照。）。ユーザはテレビジョンのオンタイマ機能を用いて任意に時刻を設定することにより、当該設定の時刻に自動的にテレビジョンの電源を立ち上げることができる。
【特許文献１】特開２００２‐３３５４５７号公報
【特許文献２】特開平９‐６１５６２号公報
【発明の開示】
【発明が解決しようとする課題】
【０００３】
これまでのオンタイマ機能を備えたテレビジョンは、ユーザによって設定された時刻にテレビジョンの電源を立ち上げていた。テレビジョンの電源を立ち上げてから実際に画面に映像が出力されるまでには幾らかの時間（表示不能時間と呼ぶ。）を要する。特に、液晶パネルを採用するテレビジョンにおいては、液晶パネルのバックライトに電源が供給されて適切な明るさで発光するまでに時間を要するため、表示不能時間の存在が顕著であった。
そのためユーザは、オンタイマ機能で設定した時刻になってもしばらくの時間は映像が見られないことを我慢しなければならなかった。或いは、所望の時刻から直ちに視聴したい場合には、表示不能時間の長さを予測して上記所望の時刻より早めの時刻をオンタイマ機能によって設定しておく必要があり、オンタイマ機能の使い勝手が悪かった。
【０００４】
本発明は上記課題に鑑みてなされたもので、ユーザが時刻等の設定をするときの煩わしさを無くし、所望の時刻に確実に視聴を開始することが可能なテレビジョンおよび液晶テレビジョンを提供することを目的とする。
【課題を解決するための手段】
【０００５】
上記目的を達成するために、本発明のテレビジョンは、放送信号を受信し、この放送信号から所定のチャンネルにかかる映像信号および音声信号を抽出し、映像信号に基づく映像出力をディスプレイ上に行うとともに音声信号に基づく音声出力を行う。
設定手段は、外部からの指示に基づいて、少なくとも視聴開始の時刻の設定を行う。映像音声制御手段は、上記設定の時刻よりも所定時間前の時刻に電源を立ち上げて放送信号の受信と映像信号および音声信号の抽出とを開始するとともに、ディスプレイ上に所定のミュート画像を表示し音声出力を消音状態とし、かつ、上記設定の時刻に上記ミュート画像の表示および消音状態を解除することにより映像信号に基づく映像出力および音声信号に基づく音声出力を開始する。
【０００６】
すなわち本発明によれば、テレビジョンはユーザが設定した視聴開始の時刻よりも所定時間前に電源を立ち上げておくとともに、視聴開始の時刻までは映像と音声をミュート状態にし、視聴開始の時刻にミュート状態を解除する。当該解除の時点では、上述した表示不能時間は経過しており、そのためユーザは、自身が設定した時刻になったと同時に目的のチャンネルにかかる番組を快適に視聴できるようになる。
【０００７】
映像音声制御手段は、上記設定の時刻よりも前の時刻であって上記電源を立ち上げる時刻よりも前の時刻に電源がオフ状態であるか否か判断し、オフ状態でなければ電源をオフ状態にするとしてもよい。当該構成によれば、電源を立ち上げる時刻よりも前に強制的に電源をオフ状態とすることができる。
【０００８】
より具体的な構成として、映像音声制御手段は上記判断の結果、電源がオフ状態でなければ、上記ディスプレイに電源をオフ状態に切り替える旨の警告表示を行った上で電源をオフ状態にするとしてもよい。かかる警告表示を行うようにすれば、いきなり電源をオフにしてユーザを驚かせてしまう、ということが無くなる。
【０００９】
映像音声制御手段は、放送信号内に含まれている時刻情報を放送信号から抽出し、この抽出した時刻情報に応じてテレビジョンが内蔵するタイマの時刻を補正し、当該補正後のタイマによって時刻を判断するとしてもよい。放送信号の規格によっては信号内に正確な現在時刻を表した時刻情報が含まれていることがある。そのためテレビジョンは、時刻情報を用いて内蔵のタイマを補正すれば、以後、上述した映像出力および音声出力の開始や、電源の立ち上げや、電源オフの判断等を、正確な時刻に行うことが可能となる。
【００１０】
本発明の技術的思想を実現するより具体的な構成として、デジタルテレビジョン放送信号を受信し、このデジタルテレビジョン放送信号からトランスポートストリームを抽出するチューナ部と、トランスポートストリームから視聴対象として設定されたチャンネルにかかる映像信号および音声信号を抽出する信号処理部と、映像信号に基づく映像出力を行う液晶パネル部と、音声信号に基づく音声出力を設定された音量レベルにて行うスピーカ部と、各部に対して電源を供給する電源回路部と、各部を制御するマイクロコンピュータとを備える液晶テレビジョンにおいて、上記マイクロコンピュータは、外部からの指示に基づいて、少なくとも視聴開始の時刻と、視聴対象のチャンネルと、視聴時の音量レベルとについて設定を行い、当該設定内容を所定の記憶領域に保存し、上記デジタルテレビジョン放送信号に含まれている時刻情報をデジタルテレビジョン放送信号から抽出し、この抽出した時刻情報に応じて内蔵するタイマの時刻を補正し、上記補正後のタイマに基づいて上記設定の時刻よりも所定時間前の時刻になったと判断した場合には、電源がオフ状態であるか否か判断し、電源がオフ状態でなければ、上記液晶パネル部に電源をオフ状態に切り替える旨の警告表示を行わせた上で電源をオフ状態にし、上記補正後のタイマに基づいて、上記電源がオフであるか否かの判断を行った時刻よりも後の時刻であって上記設定の時刻よりも所定時間前の時刻になったと判断した場合には、電源を立ち上げてチューナ部および信号処理部に処理を開始させるとともに、液晶パネル部の全面に黒画像を表示させ、スピーカ部からの音声出力を消音状態とし、上記補正後のタイマに基づいて上記設定の時刻になったと判断した場合には、上記黒画像の表示および消音状態を解除することにより、映像信号に基づく映像出力および音声信号に基づく音声出力を開始させる構成を把握することができる。
【００１１】
当該液晶テレビジョンは、上述のテレビジョンが有する技術的特徴の全てを含みつつ、さらなる具体的な構成を有している。当該液晶テレビジョンによっても、上述のテレビジョンと同様の作用および効果を発揮する。
これまでは、本発明の技術的思想をテレビジョン等の装置によって体現する例を説明したが、上述のテレビジョンや液晶テレビジョンの各手段や構成に対応する工程からなるテレビジョン制御方法や、上述のテレビジョンや液晶テレビジョンの各手段や構成に対応する機能をコンピュータに実行させるプログラムの発明をも把握可能であることは言うまでもない。
【発明を実施するための最良の形態】
【００１２】
以下の順序に従って、本発明の一実施形態を説明する。
（１）テレビジョンの概略構成
（２）オンタイマ機能による電源立ち上げ処理
（３）まとめ
【００１３】
（１）テレビジョンの概略構成
図１は、本実施形態のテレビジョン（以下、ＴＶと略す。）１００の概略構成をブロック図により示している。
ＴＶ１００においては、チューナ部２０がアンテナ１０を介してデジタルテレビジョン放送信号を受信する。チューナ部２０は、この放送信号を中間周波信号に周波数変換するとともに、アナログ信号としての中間周波信号をデジタル信号に変換し、当該デジタル信号からトランスポートストリーム（ＴＳ）を抽出する。チューナ部２０は、ＴＳを信号処理部３０に出力する。
【００１４】
信号処理部３０は、デスクランブル回路と、デマルチプレックス回路と、デコード回路とを備えており、デスクランブル回路によってＴＳのスクランブルを解除する処理を行なう。スクランブルが解除されたＴＳは、複数のトランスポートパケットからなり、各トランスポートパケットには映像信号や音声信号や各種データが格納されている。そこでデマルチプレックス回路は、マイクロコンピュータ４０によって指示された視聴対象のチャンネルにかかる映像信号および音声信号をＴＳから抽出する。マイクロコンピュータ４０は概略、ＣＰＵとＲＯＭとＲＡＭによって構成されており、アンテナ１０、チューナ部２０、信号処理部３０、音声信号処理部５０、映像信号処理部６０、スピーカ７０、液晶パネル８０、電源回路９０等の各部と接続し、ＣＰＵがＲＯＭに記憶されたプログラムに従って各部を制御する。
【００１５】
ＴＳから抽出された映像信号および音声信号はＭＰＥＧ規格に従って符号化（エンコード）された状態であるため、デコード回路は映像信号および音声信号をＭＰＥＧ規格に従って復号化（デコード）する。信号処理部３０は、復号化した映像信号を映像信号処理部６０に、復号化した音声信号を音声信号処理部５０にそれぞれ出力する。
映像信号処理部６０は、入力された映像信号に対して、ディスプレイ（液晶パネル）８０の画素数に応じたスケーリング処理や、色補正処理、エッジ強調処理などの各種画像処理を実行し、処理後の映像信号を液晶パネル８０に出力する。液晶パネル８０においては、駆動回路が入力された映像信号に基づいてパネルを駆動してパネルに映像を表示させる。その結果、上記視聴対象のチャンネルに対応したテレビ番組の映像が出力される。
【００１６】
本実施形態ではディスプレイとして液晶パネルを採用している。その意味で、ＴＶ１００は液晶テレビジョンであると言える。ただし、ディスプレイとしては他にもプラズマディスプレイパネル（ＰＤＰ）やＣＲＴ等の各種画像表示装置を採用可能である。
音声信号処理部５０では、音声信号をＤ／Ａ変換してアナログ音声信号にするとともに、マイクロコンピュータ４０に指示された音量レベルに応じて、アナログ音声信号を増幅した上でスピーカ７０に供給する。その結果、スピーカ７０から上記視聴対象のチャンネルに対応したテレビ番組の音声が出力される。
【００１７】
電源回路９０は、電源コード９１を介して外部からＡＣ電圧の供給を受けるとともにＡＣ電圧をＤＣ電圧に変換した上で、マイクロコンピュータ４０を始め、チューナ部２０や、信号処理部３０や、液晶パネル８０等、ＴＶ１００を構成する各部に対して必要な電源を供給する。マイクロコンピュータ４０は、電源回路９０から各部に対する電源供給を制御することが可能である。マイクロコンピュータ４０は、ＴＶ１００の筺体表面に設けられた電源ボタン（不図示）の操作による電源オン／オフの指示や、外部のリモートコントロール装置（不図示）から送信される電源オン／オフの指示信号を検知することが可能であり、電源オンの指示を検知した場合には、ＴＶ１００を構成する各部に対する電源供給を電源回路９０に実行させ、ＴＶ１００を電源オン状態にする。一方、マイクロコンピュータ４０は、電源オフの指示を検知した場合には、マイクロコンピュータ４０と上記リモートコントロール装置からの指示信号（赤外線信号）を受光するためのＴＶ１００筺体表面の受光部（不図示）とを除く各部への電源供給を停止させ、ＴＶ１００を電源オフ状態（スタンバイ状態とも言う。）にする。
【００１８】
（２）オンタイマ機能による電源立ち上げ処理
次に、ＴＶ１００のオンタイマ機能について説明する。図２は、ＴＶ１００がオンタイマ機能によって実行する電源立ち上げ処理の内容をフローチャートによって示している。当該処理は、主にマイクロコンピュータ４０の制御によって実行される。
ステップＳ（以下、ステップの表記を省略。）２００では、マイクロコンピュータ４０は、各種のオンタイマ項目を外部からの指示に基づいて設定し保存する。ここでは少なくとも、ＴＶ１００の視聴を開始する時刻（視聴開始時刻）と、視聴対象のチャンネルと、視聴時の音量レベルとを設定する。またこれら項目に加えて、強制オフモードを有効にするか否かについても外部からの指示に基づいて設定することができる。強制オフモードについては後述する。
【００１９】
ユーザは、外部のリモートコントロール装置等の所定の入力手段を操作することにより、上述した各項目の設定内容の指示を行い、マイクロコンピュータ４０は、当該指示に応じた設定内容を所定の記憶領域に保存する。Ｓ２００の処理を実行可能な点で、マイクロコンピュータ４０およびＴＶ１００は、設定手段を実現していると言える。
【００２０】
Ｓ２１０では、マイクロコンピュータ４０は、内蔵するタイマの時刻の調整を実行する。アンテナ１０を介して受信されるデジタルテレビジョン放送信号には、例えば、ＴＤＴ（Time and Date Table）と呼ばれる、現在日付と現在時刻とを示した情報（時刻情報）が含まれている。そこでマイクロコンピュータ４０は、信号処理部３０に指示を出して、かかる時刻情報をＴＳから抽出させ、内蔵するタイマの時刻をこの抽出した時刻情報に合うように補正する。その結果、内蔵のタイマが正確なものとなる。
【００２１】
Ｓ２２０では、マイクロコンピュータ４０は、視聴開始時刻の第一の所定時間前であるか否か判断する。第一の所定時間としては、例えば３分といった時間を採用することができ、その場合マイクロコンピュータ４０は、視聴開始時刻の３分前になったか否かを上記内蔵のタイマの時刻と上記保存した視聴開始時刻とに基づいて判断し、３分前になるまで待機し、３分前になったらＳ２３０の処理に進む。むろん、マイクロコンピュータ４０が採用する第一の所定時間の具体的数値の設定は自由である。
【００２２】
Ｓ２３０では、マイクロコンピュータ４０は、その時点でＴＶ１００が電源オフ状態であるか否か判断し、電源オフ状態である場合にはＳ２７０の処理に進む。一方、電源オフ状態でない場合（電源オン状態である場合）にはＳ２４０の処理に進む。
Ｓ２４０では、マイクロコンピュータ４０は、強制オフモードが有効な状態に設定されているか否か判断する。強制オフモードとは、視聴開始時刻の設定後、視聴開始時刻の前においてＴＶ１００が電源オン状態である場合には強制的に電源オフに切り替えるモードを言う。強制オフモードが有効化されている場合には、Ｓ２５０の処理に進む。ただしＳ２４０の判断処理は必須ではなく、Ｓ２３０の“Ｎｏ”からＳ２５０に直接移ってもよい。
【００２３】
Ｓ２５０では、マイクロコンピュータ４０は、ＲＯＭなどの所定の記憶領域に予め保存しておいた、ＴＶ１００を電源オフ状態にする旨を通知する所定の警告表示を表す文字画像データを読み出し、この文字画像データを信号処理部３０が抽出した映像信号に対して重畳した上で映像信号処理部６０に出力することにより、液晶パネル８０において上記映像信号が表す映像上に警告表示を重ねて表示（ＯＳＤ（On Screen Display）表示）させる。警告表示の内容は任意であるが、例えば「スタンバイ状態にします」等の文字を表示する。
【００２４】
Ｓ２６０では、マイクロコンピュータ４０は、所定時間経過後、例えば上記警告表示を開始してから１０秒後に、電源回路９０に指示を出してＴＶ１００を電源オフ状態にする。つまり本実施形態では、視聴開始時刻よりも前においてＴＶ１００が電源オン状態となっていた場合には、後述する視聴開始時刻の第二の所定時間前までは、強制的に電源オフ状態とする。この結果、ユーザがＴＶ１００を消し忘れたとき等、視聴開始時刻前に無駄にＴＶ１００が起動している場合に自動的にスタンバイ状態にすることができる。また、上記警告表示の後にスタンバイ状態とするため、突然にＴＶ１００が消えてユーザを戸惑わせることが無くなる。
【００２５】
上記Ｓ２４０の判断を行った場合であって、かつ強制オフモードが有効化されていない場合（Ｓ２４０において“Ｎｏ”）には、Ｓ２５０以降の処理は行わずに、当該フローチャートを終了させる。この場合は視聴開始時刻に関係なくＴＶ１００が電源オン状態であり続けることをユーザが許容しているからである。なお、Ｓ２４０の判断を行った時点等においてＴＶ１００が選局している（映像および音声が出力されている）チャンネルと、上記Ｓ２００で設定された視聴対象のチャンネルとが異なっている場合もある。そこで、マイクロコンピュータ４０は、Ｓ２４０において“Ｎｏ”の判断をした後、視聴開始時刻になった時に、その時点で選局しているチャンネルが上記視聴対象のチャンネルと異なる場合には自動的に上記視聴対象のチャンネルに切り替えるとしてもよい。
【００２６】
Ｓ２７０では、マイクロコンピュータ４０は、視聴開始時刻の第二の所定時間前であるか否か判断する。第二の所定時間とは、上記第一の所定時間よりも短い時間であって、例えば１分といった時間を採用することができる。その場合マイクロコンピュータ４０は、視聴開始時刻の１分前になったか否かを上記内蔵のタイマの時刻と上記保存した視聴開始時刻とに基づいて判断し、１分前になるまで待機し、１分前になった場合にＳ２８０の処理に進む。マイクロコンピュータ４０が採用する第二の所定時間の具体的数値の設定は自由である。ただし、第二の所定時間は上記表示不能時間よりも長い時間であるものとする。
【００２７】
Ｓ２８０では、マイクロコンピュータ４０は、電源回路９０に指示を出してＴＶ１００を電源オン状態にさせる。つまりマイクロコンピュータ４０は、ＴＶ１００の電源を立ち上げる。同時にＳ２８０では、マイクロコンピュータ４０は、チューナ部２０、信号処理部３０等のＴＶ１００の各部に対して起動を指示し、放送信号の受信、ＴＳの抽出、ＴＳからの上記Ｓ２００で設定された視聴対象のチャンネルにかかる映像信号・音声信号の抽出、映像信号・音声信号の映像信号処理部６０、音声信号処理部５０への出力等、一連の処理を開始させる。
【００２８】
さらにＳ２８０では、映像出力および音声出力についてミュート処理を行なう。具体的には、マイクロコンピュータ４０は、ＲＯＭなどの所定の記憶領域に予め保存しておいた、ミュート画像（画面全面に渡る黒画像）を表す画像データを読み出し、この画像データを信号処理部３０が抽出した映像信号に対して重畳した上で映像信号処理部６０に出力させることにより、液晶パネル８０において全面の黒画像を表示させる。同時に、マイクロコンピュータ４０は、音声信号処理部５０に指示を出して、音量レベルを「０」すなわち消音状態にさせる。つまりＳ２８０では、ＴＶ１００を起動させて上記設定された視聴対象のチャンネルにかかる映像および音声を出力可能な状態を整えつつも、映像出力および音声出力をミュート状態とすることにより、ユーザにとっては見かけ上スタンバイ状態と変らないようにしている。
【００２９】
Ｓ２９０では、マイクロコンピュータ４０は、視聴開始時刻になったか否かを上記内蔵のタイマに基づいて判断し、視聴開始時刻になるまで待機し、視聴開始時刻になったらＳ３００の処理に進む。
Ｓ３００では、マイクロコンピュータ４０は、映像出力および音声出力のミュート状態を解除する。つまり、映像については、ミュート画像にかかる画像データの映像信号に対する重畳を停止するとともに、音声については、音声信号処理部５０に指示を出して上記Ｓ２００で設定された音量レベルに応じた音声出力をさせる。この結果、ＴＶ１００においては、上記設定された視聴開始時刻と同時に、上記設定された視聴対象のチャンネルにかかる映像および音声が出力される。Ｓ２１０〜Ｓ３００の処理を実行可能な点で、マイクロコンピュータ４０およびＴＶ１００は映像音声制御手段を実現していると言える。
【００３０】
（３）まとめ
このように本実施形態によれば、ＴＶ１００は、ユーザの操作に応じてユーザが所望するチャンネルの視聴開始時刻を設定すると、視聴開始時刻よりも所定時間前の時刻（上記の例では、視聴開始時刻の第二の所定時間前の時刻。）に電源回路９０を制御して電源オン状態にし、上記設定された視聴対象のチャンネルの映像および音声を出力可能な状態を整える。このとき、少なくとも上記表示不能時間よりも長い時間分、視聴開始時刻よりも前もって電源オン状態に切り替える。そのため、電源オンにしてから視聴開始時刻になるまでの間に、液晶パネル８０のバックライトの発光等も十分な状態となり、視聴対象のチャンネルの映像を表示するための準備が整う。従って、電源の立ち上げ後、視聴開始時刻になって映像および音声のミュート状態が解除された瞬間に、ＴＶ１００からは視聴対象のチャンネルにかかる映像および音声が確実に出力されることになる。
つまり本実施形態の構成を用いれば、ユーザは、ＴＶ１００の電源の立ち上がりから適切に映像が表示されるまでに要する時間等を全く気にする必要なく、自己が所望する番組（チャンネル）の視聴開始時刻を設定すれば、その視聴開始時刻と同時に所望の番組を視聴することが可能となる。
【図面の簡単な説明】
【００３１】
【図１】テレビジョンの概略構成の一例を示したブロック図。
【図２】電源立ち上げ処理の内容を示したフローチャート。
【符号の説明】
【００３２】
１０…アンテナ
２０…チューナ部
３０…信号処理部
４０…マイクロコンピュータ
５０…音声信号処理部
６０…映像信号処理部
７０…スピーカ
８０…ディスプレイ（液晶パネル）
９０…電源回路
１００…テレビジョン
【図１】
2008294937.tif 000003
【図２】
2008294937.tif 000004